(57)【要約】【課題】ガイド溝内に異物が侵入してもドアパネルの開閉動作に支障が生じることがなく、また敷居の下方に異物が落下して昇降路内の機器類を損傷させるような不都合のないエレベータドアの敷居装置を提供する。【解決手段】ドアパネル４ａの下端部に設けられたガイドシュー１１が摺動自在に嵌合するガイド溝１０を有する敷居５と、敷居５におけるガイド溝１０の底部に設けられ、ガイド溝１０内に異物ａが侵入し、その異物ａがガイドシュー１１との間に挟まれたときにその圧力で下方に変位することが可能な可動式の底部材１４とを具備する。底部材１４は、ガイド溝１０の底部に形成された開口１３に嵌合され、一端部が敷居５に上下方向に回動可能に支持され、かつスプリングにより上方向に弾性的に付勢され、ガイドシュー１１との間に異物ａが挟まれたときに、その圧力でスプリングに抗して下方に回動変位する。【選択図】    図３
2010064861.tif 000002
【特許請求の範囲】
【請求項１】
ドアパネルの下端部に設けられたガイドシューが摺動自在に嵌合するガイド溝を有する敷居と、
前記敷居におけるガイド溝の底部に設けられ、前記ガイド溝内に異物が侵入し、その異物が前記ガイドシューとの間に挟まれたときにその圧力で下方に変位することが可能な可動式の底部材と、
を具備することを特徴とするエレベータドアの敷居装置。
【請求項２】
前記底部材は、前記ガイド溝の底部に形成された開口に嵌合され、一端部が前記敷居に上下方向に回動可能に支持され、かつスプリングにより上方向に弾性的に付勢され、前記ガイドシューとの間に前記異物が挟まれたときに、その圧力で前記スプリングに抗して下方に回動変位することを特徴とする請求項１に記載のエレベータドアの敷居装置。
【発明の詳細な説明】
【技術分野】
【０００１】
この発明は、エレベータの乗り場ドア装置やかごドア装置におけるドアパネルの移動をガイドするエレベータドアの敷居装置に関する。
【背景技術】
【０００２】
建屋のエレベータ乗り場には乗降口が設けられ、この乗降口に乗り場ドア装置が設けられ、この乗り場ドア装置のドアパネルにより乗降口が開閉される。また、昇降路内で昇降するかごには出入口が形成され、この出入口にかごドア装置が設けられ、このかごドア装置のドアパネルによりかごの出入口が開閉される。
【０００３】
ドア装置のドアパネルは、敷居の上に配置され、その敷居に沿って移動する。敷居には、ガイド溝が形成され、またドアパネルの下端部にはガイドシューを取り付けられ、このガイドシューが敷居のガイド溝内に摺動自在に嵌合され、その摺動でドアパネルがガイドされる。
【０００４】
敷居のガイド溝内には、小石などの異物が侵入することがある。小石のような固い異物が侵入すると、その異物がガイドシューとガイド溝の底部との間に挟み込まれ、ドアパネルの開閉動作に支障が生じることがある。
【０００５】
そこで、特開平６−３２５７１号公報では、ガイド溝の上部をその下方より幅の狭い幅狭部とすることで、ガイド溝内への大きな異物の侵入を防止するようにしている。
【０００６】
また一般に、ガイド溝の底部には排出孔が形成され、ガイド溝内に異物が侵入したときに、その異物を排出孔を通してその下方に落下させるようにしている。
【特許文献１】特開平６−３２５７１号公報
【発明の開示】
【発明が解決しようとする課題】
【０００７】
しかしながら、特開平６−３２５７１号公報のように、ガイド溝の上部を幅狭部としても、大きな異物の侵入を防止することができるだけであって、異物の侵入を確実に防止することは困難であり、一旦、小石のような固い異物が侵入してしまえば、ドアパネルの開閉動作に支障が生じてしまう。また、ガイド溝の底部に排出孔を形成し、ガイド溝内に侵入した異物を敷居の下方に落下させてしまうと、その異物が昇降路内の機器類などに衝突してその機器類を損傷させてしまう恐れがある。
【０００８】
この発明はこのような点に着目してなされたもので、その目的とするところは、ガイド溝内に異物が侵入してもドアパネルの開閉動作に支障が生じることがなく、また敷居の下方に異物が落下して昇降路内の機器類を損傷させるような不都合もないエレベータドアの敷居装置を提供することにある。
【課題を解決するための手段】
【０００９】
このような目的を達成するために、請求項１の発明は、ドアパネルの下端部に設けられたガイドシューが摺動自在に嵌合するガイド溝を有する敷居と、前記敷居におけるガイド溝の底部に設けられ、前記ガイド溝内に異物が侵入し、その異物が前記ガイドシューとの間に挟まれたときにその圧力で下方に変位することが可能な可動式の底部材とを具備することを特徴としている。
【００１０】
請求項２の発明は、前記底部材が、前記ガイド溝の底部に形成された開口に嵌合され、一端部が前記敷居に上下方向に回動可能に支持され、かつスプリングにより上方向に弾性的に付勢され、前記ガイドシューとの間に前記異物が挟まれたときに、その圧力で前記スプリングに抗して下方に回動変位することを特徴としている。
【発明の効果】
【００１１】
この発明の敷居装置によれば、ガイド溝内に異物が侵入してもドアパネルの開閉動作に支障が生じることがなく、また敷居の下方に異物が落下して昇降路内の機器類を損傷させるような不都合もない。
【発明を実施するための最良の形態】
【００１２】
以下、この発明の実施の形態について図面を参照して説明する。
【００１３】
図１にはエレベータ乗り場１の外観を示してある。エレベータ乗り場１における壁面には三方枠２を備える乗降口３が設けられ、この乗降口３にその開閉用の乗り場ドア装置４が設けられている。乗り場ドア装置４は、例えば一対のドアパネル４ａが左右に移動して乗降口３を開閉する両開き式構造となっている。乗降口３の下部には、乗り場１の床面と面一に敷居５が設けられ、この敷居５に沿ってドアパネル４ａが左右に移動する。  
乗り場１の壁面には、三方枠２の側方に位置して乗り場操作盤７が取り付けられ、この乗り場操作盤７にかご呼び登録用のかご呼びボタン７ａが設けられている。
【００１４】
敷居５には、図２及び図３に示すようにその長手方向に沿ってガイド溝１０が形成され、またドアパネル４ａの下端部には、均等的に複数のガイドシュー１１が取り付けられ、これらガイドシュー１１がガイド溝１０内に摺動自在に嵌合されている。そして、ガイドシュー１１がガイド溝１０に沿って摺動することによりドアパネル４ａの移動がガイドされる。
【００１５】
ガイド溝１０の底部には、図４に示すようにその長手方向に沿って長い開口１３が形成され、この開口１３内に可動式の底部材１４が嵌合され、この底部材１４により開口１３のほぼ全体が塞がれている。底部材１４の一端部はピン１５を介してガイド溝１０の側壁に取り付けられ、そのピン１５を中心に上下方向に回動することが可能となっている。ピン１５の外周にはスプリング１６が装着され、このスプリング１６により底部材１４が図３における反時計回り方向に弾性的に付勢されている。
【００１６】
底部材１４の先端側の端部、すなわちピン１５の反端側端部にはストッパ１７が設けられ、このストッパ１７がスプリング１６の弾性力で敷居５の下面に当接し、この当接で底部材１４が敷居５と平行をなす水平状態に保持されている。また、底部材１４の他端側の端部の上面には段部１８が形成されている。
【００１７】
なお、ドアパネル４ａは、その上部が三方枠２の上部に設けられたハンガーレール（図示せずに）に移動自在に懸架されて吊下げ状態に支持されており、したがってドアパネル４ａの下端部に設けられたガイドシュー１１は敷居５におけるガイド溝１０の底面と直接接触せず、その底面との間に僅かな隙間が確保され、この状態でガイドシュー１１がガイド溝１０に沿って移動する。
【００１８】
このような構成において、図３（Ａ）に示すように、ガイド溝１０内に比較的粒の大きな小石のような固い異物ａが侵入して底部材１４の上に乗り、この異物ａに向ってドアパネル４ａが矢印方向に移動すると、相対的にドアパネル４ａのガイドシュー１１と底部材１４の上面との間の隙間内に異物ａが食い込んで挟み込まれることがある。このような状況が生じたときには、異物ａの挟み込みに応じて底部材１４がその挟み込みの圧力で図３（Ｂ）に示すように、スプリング１６の弾性力に抗してピン１５を中心に下方に回動変位し、この変位で異物ａとガイドシュー１１との接触圧が弱まり、これによりガイドシュー１１が異物ａを円滑に乗り越え、ドアパネル４ａに過負荷がかからず、ドアパネル４ａが円滑に移動する。  
また、ドアパネルが図３における矢印の逆方向に移動するときに同様の状況が生じたときにおいても、同様に底部材１４が下方に回動変位し、ドアパネル４ａが円滑に移動する。
【００１９】
このように本実施形態よれば、敷居５のガイド溝１０内に小石のような固い異物ａが侵入してもドアパネル４ａの開閉動作に支障が生じることがない。また、ガイド溝１０の底部には開口１３が形成されているが、この開口１３が底部材１４により塞がれているから、ガイド溝１０内に侵入した異物ａが敷居５の下方に落下するようなことがない。異物ａが底部材１４の上に乗り、底部材１４が下方に回動したときには、底部材１４の先端側上面に段部１８が形成されているため、底部材１４がその回動で傾斜しても異物ａが段部１８に引っ掛かって敷居５の下方にむやみに落下するようなことがない。したがって、異物ａが昇降路内の機器類に衝突して損傷させるような不具合を防止することができる。ガイド溝１０内に侵入した異物ａは、例えばエレベータの定期点検時などの清掃作業時に除去して廃棄する。
【００２０】
なお、底部材１４は、ガイド溝１０の底部のほぼ全長区間の部分に連続して設けてもよいし、所要部分の一箇所あるいは複数箇所に設けるような場合であってもよい。
【００２１】
また、前記実施形態は、エレベータ乗り場１の乗降口３における敷居５にこの発明を適用した例であるが、図５に示すように、かご３０の出入口３１を開閉するかごドア装置３２のドアパネル３２ａをガイドする敷居３３においても同様にこの発明を適用することが可能である。
【００２２】
さらに、前記実施形態では、一対のドアパネルが左右に移動する両開き式のドア装置における敷居の場合であるが、一つのドアパネルが左右に移動するドア装置における敷居、あるいは複数のドアパネルが前後に段違い状に配置し、その複数のドアパネルが同じ方向に異なる速度で移動する多段速片開き式のドア装置などにおける敷居に適用する場合であってもよい。
【図面の簡単な説明】
【００２３】
【図１】この発明の一実施形態に係る敷居装置を備えるエレベータ乗り場の外観斜視図。
【図２】その敷居装置を示す外観斜視図。
【図３】その敷居装置の要部の構造を示す断面図。
【図４】その敷居装置の敷居の一部の平面図。
【図５】かごドア装置を備えるかごの全体の外観を示す斜視図。
【符号の説明】
【００２４】
１…エレベータ乗り場
３…乗降口
４…乗り場ドア装置
４ａ…ドアパネル
５…敷居
１０…ガイド溝
１１…ガイドシュー
１３…開口
１４…底部材
１５…ピン
１６…スプリング
１７…ストッパ
１８…段部
ａ…異物
【図１】
2010064861.tif 000003
【図２】
2010064861.tif 000004
【図３】
2010064861.tif 000005
【図４】
2010064861.tif 000006
【図５】
2010064861.tif 000007